(57)【要約】【課題】ウィープホールのメンテナンスを容易化するとともに、逆止弁ひいてはウィープホールの機能性を高める。【解決手段】ウィープホール管２に逆止弁装置３のホルダ１０を装着する。ホルダ１０に弁本体３０を設ける。弁本体３０は、弁座３１ａを有する弁座部材３１と、弁座３１ａに着離座されることによって弁路３０ｃを閉開させる弁体３２を含む。弁本体３０は、第１の向きと前記第１の向きに対して反転された第２の向きとのうち選択された一方の向きにされてホルダ１０に装着可能である。【選択図】図２
2018009312.tif 000002
【特許請求の範囲】
【請求項１】
地山と隔てられた画成空間を画成する土木構造体に設けられるウィープホール装置であって、
ウィープホールを構成する管内通路を有して前記土木構造体を貫通するウィープホール管と、前記ウィープホール管に設けられた逆止弁を備え、前記逆止弁が、
前記ウィープホール管に装着されるホルダと、
第１の向きと、前記第１の向きに対して前記ウィープホール管の管軸方向に反転された第２の向きとのうち選択された一方の向きにされて前記ホルダに保持可能な弁本体とを有し、
前記弁本体が、弁座を有する弁座部材と、前記弁座に着離座されることによって前記管内通路を閉開させる弁体を含むことを特徴とするウィープホール装置。
【請求項２】
前記ホルダが、環状の第１ホルダ部材と、前記第１ホルダ部材に対して着脱可能に嵌合された環状の第２ホルダ部材と、を含み、
前記弁本体が、前記第１、第２の何れの向きにおいても前記第１ホルダ部材と前記第２ホルダ部材との間に挟まれて保持される被保持部を有していることを特徴とする請求項１に記載のウィープホール装置。
【請求項３】
前記弁座部材が、軸支部と、前記軸支部を囲む環状部と、前記環状部の径方向へ延びて前記環状部と前記軸支部を連結する連結腕部とを有し、
更に、前記弁本体が、前記弁体を前記弁座へ向けて付勢する弾性部材と、
前記軸支部と前記弁体と前記弾性部材を貫通して連結する連結軸部材とを含むことを特徴とする請求項１又は２に記載のウィープホール装置。
【請求項４】
前記ウィープホール管の管壁には透孔が形成され、前記ウィープホール管の内部にはフィルタが収容されていることを特徴とする請求項１〜３の何れか１項に記載のウィープホール装置。
【発明の詳細な説明】
【技術分野】
【０００１】
本発明は、地山から土木構造体にかかる水圧を逃がすウィープホール装置に関し、特に逆止弁機能を備えたウィープホール装置に関する。
【背景技術】
【０００２】
地山から管内部等の画成空間を隔てる管渠等の土木構造体に対して地山の水圧が過剰にかかるのを防ぐ手段として、ウィープホールを設けることが知られている。ウィープホールは、土木構造体の地山側から画成空間側への通水性を保ちながら、画成空間側から地山側への止水性を有することが求められる。
【０００３】
例えば特許文献１においては、地山にウィープホール管が埋設されるとともに、ウィープホール管の端部が擁壁（土木構造体）を貫通している。ウィープホール管の管壁には透孔が形成されている。地山の水は、透孔からウィープホール管内に入り、擁壁の外部（画成空間）へ導出される。ウィープホール管の内部には、逆止弁が設けられている。逆止弁は蓋板状の弁体を有している。弁体は、地山側からの流れを許容し、逆方向の流れを阻止する。
【先行技術文献】
【特許文献】
【０００４】
【特許文献１】特開２００６−１６８６２号公報
【発明の概要】
【発明が解決しようとする課題】
【０００５】
ウィープホールが長期に使用された場合には、通水部や逆止弁の可動部にゴミ等が詰まることによって、流通許容方向への通水性が低下したり、流通阻止方向への止水性が低下したりする。このため、定期的なメンテナンスが必要である。しかしながら、従来のウィープホールは取り外しが困難でメンテナンス費用が高かった。
特許文献１のウィープホール管は、着脱式の内管に逆止弁が設けられており、内管と一緒に逆止弁を着脱できる。しかし、特許文献１の逆止弁は、地山側の水圧を擁壁の外部へ逃がすためだけに用いられている。例えば、裏込めや洗浄時の逆流防止手段等として用いることはできず、機能性が低い。
本発明は、前記事情に鑑みてなされたものであり、ウィープホールのメンテナンスを容易化するとともに、逆止弁の機能性を高めることを目的とする。
【課題を解決するための手段】
【０００６】
前記課題を解決するために、本発明は、地山と隔てられた画成空間を画成する土木構造体に設けられるウィープホール装置であって、
ウィープホールを構成する管内通路を有して前記土木構造体を貫通するウィープホール管と、前記ウィープホール管に設けられた逆止弁を備え、前記逆止弁が、
前記ウィープホール管に装着されるホルダと、
第１の向きと、前記第１の向きに対して前記ウィープホール管の管軸方向に反転された第２の向きとのうち選択された一方の向きにされて前記ホルダに保持可能な弁本体とを有し、
前記弁本体が、弁座を有する弁座部材と、前記弁座に着離座されることによって前記管内通路を閉開させる弁体を含むことを特徴とする。
【０００７】
前記弁本体が、前記第１の向きでは地山側から画成空間側への流れを許容し、画成空間側から地山側への流れを阻止することが好ましい。通常時、前記弁本体を前記第１の向きにして設置する。地山の水をウィープホールから逆止弁を経て画成空間へ逃がすことで、土木構造体にかかる水圧負荷を低減できる。かつ、画成空間内から地山への逸水等を防止できる。
画成空間側から逆止弁を外すことでウィープホールを容易にメンテナンスできる。
逆止弁の向きを変えることで、洗浄や裏込め等に逆止弁を利用することができ、逆止弁の機能性を高めることができる。
【０００８】
前記ホルダが、環状の第１ホルダ部材と、前記第１ホルダ部材に対して着脱可能に嵌合された環状の第２ホルダ部材と、を含み、
前記弁本体が、前記第１、第２の何れの向きにおいても前記第１ホルダ部材と前記第２ホルダ部材との間に挟まれて保持される被保持部を有していることが好ましい。
第１ホルダ部材と第２ホルダ部材を分離することで、弁本体をホルダから外すことができる。これによって、逆止弁の内部やウィープホール管の内部の洗浄やフィルタ交換等を容易に行なうことができる。或いは、弁本体の向きを変えて、ホルダに再装着できる。弁本体を第１の向き及び第２の向きの何れの状態においてもホルダに安定的に保持できる。
【０００９】
前記弁座部材が、軸支部と、前記軸支部を囲む環状部と、前記環状部の径方向へ延びて前記環状部と前記軸支部を連結する連結腕部とを有し、
更に、前記弁本体が、前記弁体を前記弁座へ向けて付勢する弾性部材と、
前記軸支部と前記弁体と前記弾性部材を貫通して連結する連結軸部材とを含むことが好ましい。
これによって、弁本体をユニット化することができる。弁本体全体を１つのユニットとしてホルダに着脱でき、弁本体の向き変更を容易に行なうことができる。
【００１０】
前記ウィープホール管の管壁には透孔が形成され、前記ウィープホール管の内部にはフィルタが収容されていることが好ましい。
地山の水が透孔を通してウィープホールに入り、逆止弁を経て画成空間へ流れることができる。フィルタによってウィープホールへの土砂流入を防止できる。フィルタの目詰まり等で性能低下が起きたときは、弁本体を外してフィルタを交換したり洗浄したりすることで性能を回復できる。
【発明の効果】
【００１１】
本発明によれば、ウィープホールのメンテナンスを容易化できるとともに、逆止弁の機能性を高めることができる。
【図面の簡単な説明】
【００１２】
【図１】図１は、本発明の第１実施形態に係るウィープホール装置付きの地中管の断面図である。
【図２】図２は、前記ウィープホール装置と地中管の接続部の断面図である。
【図３】図３は、前記接続部に設けられた逆止弁の、図２のＩＩＩ−ＩＩＩ線に沿う底面図である。
【図４】図４は、地山からの流入水を逃す状態を示す、前記接続部の断面図である。
【図５】図５は、前記逆止弁の弁本体を第２の向きにして示す側面断面図である。
【図６】図６は、本発明の第２実施形態に係るウィープホール装置と地中管の接続部の断面図である。
【図７】図７は、前記第２実施形態に係る逆止弁の、図６のＶＩＩ−ＶＩＩ線に沿う底面図である。
【図８】図８は、前記第２実施形態において、地山からの流入水を逃す状態を示す、前記接続部の断面図である。
【図９】図９は、前記第２実施形態の逆止弁の弁本体を第２の向きにして示す側面断面図である。
【発明を実施するための形態】
【００１３】
以下、本発明の実施形態を図面にしたがって説明する。
［第１実施形態］
図１は、地山Ｂ内に構築された地中管９（土木構造体）を示したものである。地中管９は、上水道管でもよく、下水道管でもよく、農業用水管でもよい。地中管９の内部に地中管路９ｂ（画成空間）が画成されている。地中管９の管壁９ａによって、外側の地山Ｂと内側の地中管路９ｂとが隔てられている。管壁９ａに貫通孔９ｃが形成されている。
なお、図１において、管壁９ａの厚みは地中管９の直径に対して誇張されている。
【００１４】
地中管９の管壁９ａにウィープホール装置１が接続されている。ウィープホール装置１は、ウィープホール管２と、逆止弁３を備えている。ウィープホール管２の材質は、例えばポリ塩化ビニル（ＰＶＣ）等の樹脂であるが、ステンレス等の金属であってもよい。
ウィープホール管２の軸線Ｌ２は、地中管９の管軸Ｌ９と直交されている。ウィープホール管２の地中管２との接続端２ｄは、貫通孔９ｃに通されることによって管壁９ａを貫通し、地中管路９ｂに臨んでいる。ウィープホール管２の接続端２ｄとは反対側の部分は、管壁９ａの外側へ延び出て、地山Ｂに埋設されている。ウィープホール管２の管内通路２ｂがウィープホールとなっている。
ウィープホール管２の長さ及び直径は、管壁９ａの厚さ、設置場所の想定水圧等に応じて適宜設定することが好ましい。
【００１５】
ウィープホール管２の管壁２ａには、複数の透孔２ｃが形成されている。これら透孔２ｃは、管壁２ａの管軸方向に分散して配置されている。各透孔２ｃは、管壁２ａの外周面から内周面に貫通している。
【００１６】
ウィープホール管２の地山側端２ｅには、蓋４が設けられている。蓋４によって地山側端２ｅが塞がれている。蓋４には、透孔４ｃが形成されている。透孔４ｃは、蓋４の外側面から内側面（管内通路２ｂを向く面）に貫通している。
【００１７】
ウィープホール管２の内部にはフィルタ５が収容されている。フィルタ５は、透水シート等にて構成され、水を通す一方、土砂を捕捉する。
【００１８】
ウィープホール管２の接続端２ｄに逆止弁３が設けられている。図２及び図３に示すように、逆止弁装置３は、ホルダ１０と、弁本体３０を備え、概略円筒形になっている。図１に示すように、逆止弁装置３の軸線Ｌ３は、ウィープホール管２の軸線Ｌ２に沿い、かつ地中管９の管軸Ｌ９と直交している。
【００１９】
図２及び図３に示すように、ホルダ１０は、第１ホルダ部材１１と、第２ホルダ部材１２とを含む。第１ホルダ部材１１及び第２ホルダ部材１２の材質は、例えばポリ塩化ビニル（ＰＶＣ）等の樹脂にて構成されている。
【００２０】
第１ホルダ部材１１は、逆止弁装置３の軸線Ｌ３と同軸の円環状になっている。第１ホルダ部材１１の外周面には、雄ネジ部１１ｂが形成されている。図２に示すように、第１ホルダ部材１１の地中管路９ｂ側（図２において下側）の端部の外周には、フランジ１１ｆが形成されている。フランジ１１ｆが、ウィープホール管２の接続端２ｄにビス（図示省略）等にて固定されている。第１ホルダ部材１１の内周面の地中管路９ｂ側の部分には、雌ネジ部１１ｃが形成されている。
【００２１】
第１ホルダ部材１１の内部に第２ホルダ部材１２が配置されている。第２ホルダ部材１２は、第１ホルダ部材１１より短小かつ第１ホルダ部材１１と同軸の円環状になっている。第２ホルダ部材１２は、円筒形の筒部１２ａと、筒部１２ａの地中管路９ｂ側の端部を塞ぐキャップ板部１２ｅとを一体に含んでいる。第２ホルダ部材１２の外周には、雄ネジ部１２ｃが形成されている。雄ネジ部１２ｃが雌ネジ部１１ｃにねじ込まれることによって、第２ホルダ部材１２が、第１ホルダ部材１１に対して軸線Ｌ３に沿って進退可能かつ着脱可能に嵌合されている。
【００２２】
キャップ板部１２ｅの中央部には、円形の開口部１２ｈが形成されている。開口部１２ｈを介して、内室１０ｃが地中管路９ｂ側（図２において下側）の外部へ連なっている。開口部１２ｈにおける地中管路９ｂ側の端部には、六角凹部１２ｆが形成されている。六角凹部１２ｆに六角レンチ等の工具を嵌めて回すことによって、第２ホルダ部材１２を容易に着脱できる。
【００２３】
第１ホルダ部材１１は、第２ホルダ部材１２よりも地山Ｂ側（図２において上側）に突出されている。第１ホルダ部材１１における第２ホルダ部材１２よりも地山Ｂ側の部分の内部と、第２ホルダ部材１２の内部とによって、ホルダ１０の内室１０ｃが構成されている。内室１０ｃは、ホルダ１０を地山Ｂ側（図２において上側）から地中管路９ｂ側（図２において下側）へ貫通している。
【００２４】
内室１０ｃに弁本体３０が収容されている。弁本体３０は、弁座部材３１と、弁体３２と、弾性部材３３と、連結軸部材３５を含む。
弁座部材３１の材質は、例えばＰＶＣ等の樹脂にて構成されている。弁座部材３１は、環状部３１ｘ（被保持部）と、１又は複数（ここでは４つ）の連結腕部３１ｂと、軸支部３１ｃとを一体に有している。環状部３１ｘは、軸線Ｌ３と同軸の円筒状になっている。
【００２５】
図２及び図３に示すように、環状部３１ｘの中央部に、環状の軸支部３１ｃが配置されている。環状部３１ｘと軸支部３１ｃとの間に、４つの連結腕部３１ｂが９０度間隔で設けられている。各連結腕部３１ｂは、環状部３１ｘの径方向に延びている。連結腕部３１ｂによって、環状部３１ｘと軸支部３１ｃとが連結されている。４つの連結腕部３１ｂが、軸支部３１ｃを中心に放射状になっている。隣り合う連結腕部３１ｂ，３１ｂどうしの間に、扇状の弁路３０ｃが形成されている。弁路３０ｃは、ホルダ１０の内室１０ｃの中間部に介在され、内室１０ｃと連通している。 
【００２６】
弁座部材３１ひいては弁本体３０は、次のようにしてホルダ１０に保持されている。
ホルダ１０の第１ホルダ部材１１における地山Ｂ側（図２において上側）の端部には、内フランジ１１ｇが、径方向内側へ突出するように形成されている。環状部３１ｘが、内フランジ１１ｇと、第２ホルダ部材１２の地山Ｂ側の端面１２ｄとの間に挟まれて保持されている。内フランジ１１ｇと端面１２ｄとによって、弁本体保持部１０ｄが構成されている。弁本体保持部１０ｄは、ホルダ１０の全周にわたる環状になっている。
【００２７】
第２ホルダ部材１２を第１ホルダ部材１１から分離すると、弁本体３０の保持状態が解除される。したがって、弁本体３０は、ホルダ１０に対して着脱可能になっている。
【００２８】
さらに、弁本体３０は、図２に示す第１の向きと、図５に示す第２の向きとのうち選択された一方の向きにされてホルダ１０に装着可能である。第２の向き（図５）における弁本体３０は、第１の向き（図２）に対して軸線Ｌ２，Ｌ３に沿う方向へ１８０度反転されている。要するに、第１の向きのときは地山Ｂ側（図２において上側）を向いていた部分が、第２の向きでは地中管路９ｂ側へ向けられ、第１の向きのときは地中管路９ｂ側を向いていた部分が、第２の向きでは地山Ｂ側（図５において上側）へ向けられている。図２及び図５に示すように、弁本体３０が第１、第２の何れの向きのときも、環状部３１ｘ（被保持部）が内フランジ１１ｇと端面１２ｄとの間に挟持されることで、弁本体３０が弁本体保持部１０ｄによって保持される。
地中管９の通常時における逆止弁３は、第１の向き（図２）に向けられている。以下、特に断らない限り、逆止弁装置３は、第１の向き（図２）になっているものとする。
【００２９】
図２に示すように、弁座部材３１の地中管路９ｂ側（図２において下側）に弁体３２が配置されている。弁体３２は、円形の平板状になっている。図３に示すように、弁体３２の外直径は、環状部３１ｘの内直径よりも少しだけ大きい。環状部３１ｘの内周側の部分には、弁座３１ａが形成されている。弁座３１ａは、弁体３２の外直径と環状部３１ｘの内直径との差分の幅を有して、環状になっている。
弁体３２の材質は、例えばＰＶＣ等の樹脂である。なお、弁体３２の材質は、樹脂に限られず、硬質ゴム等であってもよい。
【００３０】
弁体３２は、弁座部材３１に対して着座位置（図２）と離座位置（図４）との間で軸線Ｌ３に沿って相対移動可能になっている。図２に示すように、着座位置では、弁体３２の周縁部が、弁座３１ａに着座する。これによって、弁路３０ｃが閉止される。図４に示すように、離座位置では、弁体３２が弁座３１ａから離れる。これによって、弁路３０ｃが開通される。
【００３１】
図２に示すように、軸支部３１ｃを挟んで弁体３２とは反対側（図２において上側）には、弾性部材３３（付勢手段）が配置されている。弾性部材３３の材質は、弁体３２よりも柔らかいゴム（弾性体）によって構成されている。弾性部材３３は、円筒形状ないしは弁座部材３１から軸線Ｌ３に沿って遠ざかるにしたがって縮径する円錐筒形状になっている。
【００３２】
図２に示すように、逆止弁３の軸線Ｌ３上に連結軸部材３５が配置されている。連結軸部材３５は、ボルトにて構成されている。連結軸部材３５が、弾性部材３３と、軸支部３１ｃと、弁体３２とを貫通することによって、部材３１，３２，３３どうしを連結している。連結軸部材３５は、弁座部材３１に対して軸線Ｌ３に変位可能になっている（図２、図４）。
【００３３】
連結軸部材３５の頭部（図２において上端部）が、弾性部材３３に押し当てられている。また、連結軸部材３５の先端部（図２において下端部）にはナット３６が設けられている。ナット３６が、弁体３２に押し当てられている。ナット３６の締め付けによって、弾性部材３３が、圧縮されて連結軸部材３５を地山Ｂ側（図２において上側）へ付勢している。これによって、通常時は、弁体３２が着座され、弁路３０ｃが閉止されている。
なお、着座時の弁体３２は、連結腕部３１ｂ及び軸支部３１ｃにおける弁座３１ａと面一をなす面（図２において下面）にも押し当てられている。
【００３４】
前記地中管９においては、地中管路９ｂ内の水圧が逆止弁３の開口部１２ｈを通して弁体３２に作用する。この水圧は弁体３２に対して着座方向（図２において上方）へ働くため、弁体３２が開弁されることはない。これによって、地中管路９ｂ内の水がウィープホール装置１を通して地山Ｂへ流出するのを阻止できる。
【００３５】
一方、図４に示すように、地山Ｂの水Ｗａが、ウィープホール管２の透孔２ｃ，４ｃを通って、管内通路２ｂに流入可能である。この流入水Ｗａの水圧は、弁体３２に対して離座方向（図４において下方）に作用する。この水圧が所定以上になると、弁体３２が弾性部材３３のばね力に抗して離座される。これによって、流入水Ｗａを地中管路９ｂへ放流することができる。この結果、地中管９が過剰な水圧で損傷するのを防止できる。
地山Ｂからの流入水Ｗａに土砂等の固形物が含まれているときは、これら固形物をフィルタ５によって捕捉できる。これによって、地中管路９ｂの水に前記固形物が混入されるのを防止又は抑制できる。
【００３６】
ウィープホール装置１に対しては、定期的ないしは不定期にメンテナンスを行なうことが好ましい。メンテナンスでは、地中管路９ｂ側から六角レンチ等の工具を六角凹部１２ｆに嵌めて回すことによって、第２ホルダ部材１２を外す。これによって、弁本体３０をホルダ１０から容易に取り外すことができる。そして、ホルダ１０の内部や弁本体３０を洗浄できる。更に、フィルタ５を交換したり管内通路２ｂ内を洗浄したりできる。その後、弁本体３０をホルダ１０内に取り付け、第２ホルダ部材１２を嵌める。このようなメンテナンスによって、ウィープホール装置１の地山Ｂ側から地中管路９ｂ側への通水性を回復させ、かつ地中管路９ｂ側から地山Ｂ側への止水性を回復させることができる。メンテナンス作業が容易であるため、メンテナンスコストを低減できる。
ウィープホール装置１は、部品点数が少なく、構造が比較的簡素であり、製品コストを低減できる。
【００３７】
図５に示すように、弁本体３０を第２の向きにすることによって、逆止弁３を裏込めや洗浄時の逆流防止手段等として用いることができる。これによって、逆止弁３の機能性を高めることができる。
【００３８】
第２の向きでは、弁本体３０のホルダ１０に対する向きが、第１の向きに対して軸線Ｌ３に沿う方向に１８０度反転されている。したがって、弁体３２の着座方向及び離座方向が、第１の向き（図２）とは逆になり、逆止弁３による流通許容方向及び流通阻止方向が第１の向き（図２）とは逆になる。
【００３９】
弁本体３０の各部材３１〜３３が連結軸部材３５によって連結されることによって、弁本体３０をユニット化することができる。したがって、弁本体３０全体を１つのユニットとしてホルダ１０に着脱でき、弁本体３０の向き変更を容易に行なうことができる。
ゴム製の弾性部材３３は、対象流体の粘度や想定圧力に合わせて、最適な付勢力が得られるように適度な硬度及び寸法を有するものに交換することができる。しかも、ナット３６を外すことで簡単に交換できる。
また、対象流体の粘度に合わせて、弁体３２や弁座部材３１の弁座３１ａの断面形状を適切なものに設計変更して取り替えることができる。弁体３２の交換作業はナット３６を外すことで簡単に行なうことができる。弁座部材３１の交換作業は、第２ホルダ部材１２を外すことで簡単に行なうことができる。
【００４０】
次に、本発明の他の実施形態を説明する。以下の実施形態において既述の形態と同様の要素に関しては図面に同一符号を付して説明を簡略化する。
［第２実施形態］
図６〜図９は、本発明の第２実施形態を示したものである。図６に示すように、第２実施形態のウィープホール装置１Ｂにおいては、逆止弁３Ｂの弁座部材３１が、筒部３１ｄ（環状部）を有している。筒部３１ｄの外周にフランジ３１ｆ（被保持部）が形成されている。フランジ３１ｆ（被保持部）がホルダ１０の弁本体保持部１０ｄに保持され、ひいては弁本体３０が、ホルダ１０に保持されている。図６及び図９に示すように、弁本体３０が、筐体１０に対して着脱可能、かつ第１の向き（図６）と第２の向き（図９）とのうち選択された一方の向きにされて、筐体１０に装着可能である点は、第１実施形態と同様である。
以下、第２実施形態においても、特に断らない限り、弁本体３０は第１の向き（図６）になっているものとする。すなわち、逆止弁３Ｂは、地山Ｂ側から地中管路９ｂ側への流れを許容し、かつ地中管路９ｂ側から地山Ｂ側への流れを阻止するように向けられているものとする。
【００４１】
図６に示すように、筒部３１ｄにおける弁体３２を向く環状面（図８において下面）が、弁座３１ａとなっている。弁座３１ａは部分凹球面状になっている。
図７に示すように、逆止弁３Ｂの連結腕部３１ｂは、１２０度間隔で放射状に３つ設けられている。連結腕部３１ｂによって筒部３１ｄと軸支部３１ｃが連結されている。図８に示すように、連結腕部３１ｂ及び軸支部３１ｃにおける弁体３２を向く面（図８において下面）は、弁座３１ａと連続する部分凹球面状になっている。
【００４２】
軸線Ｌ３上には、地山Ｂ側（図６において上側）から順に、弁座部材３１の軸支部３１ｃ、弁体３２、弾性部材３３、スペーサ３７、防汚メッシュ３８、ワッシャ３９、及びナット３６が配置されている。これら部材３１，３２，３３，３７，３８，３９，３６が連結軸部材３５によって連結されることで、弁本体３０がユニット化されている。第１の向きにおいては、連結軸部材３５（ボルト）の頭部が地山Ｂ側（図６において上側）へ向けられ、ナット３６が地中管路９ｂ側（図６において下側）へ向けられている。
【００４３】
図６に示すように、弁体３２は、部分球殻状になっている。弁体３２の内周部（図６において下側部）に、弾性部材３３（付勢手段）が配置されている。弾性部材３３は、球形のゴムによって構成されている。弾性部材３３は、弁体３２とスペーサ３７との間に挟まれている。スペーサ３７は、例えばエラストマー等の樹脂にて構成されている。
【００４４】
弁体３２及び弾性部材３３よりも地中管路９ｂ側（図６において下側）には、防汚メッシュ３８が設けられている。防汚メッシュ３８は、円形になっている。内室１０ｃの地中管路９ｂへの開口部が防汚メッシュ３８によって覆われている。防汚メッシュ３８の外周縁は自由端になっている。防汚メッシュ３８の中央部は、スペーサ３７とワッシャ３９とによって挟持されている。ワッシャ３９は、エラストマー等の樹脂にて構成されている。かつ、ワッシャ３９は、防汚メッシュ３８と、連結軸部材３５の先端部（図６において下端部）のナット３６との間に介在されている。
なお、図７においては、防汚メッシュ３８の図示が省略されている。
【００４５】
ナット３６のねじ込みによって、弾性部材３３が圧縮されて弁体３２に押し当てられている。これによって、図６に示すように、通常時は、弁体３２が弁座３１ａに着座されることで、弁路３０ｃが閉止されている。したがって、第１実施形態と同様に、地中管路９ｂの水が管内通路２ｂから地山Ｂへ流出するのを防止できる。
【００４６】
図８に示すように、地山Ｂから管内通路２ｂへ流入した地下水等の流入水Ｗａの水圧が所定以上になったときは、弁体３２が弾性部材３３のばね力に抗して離座されることで開弁される。したがって、第１実施形態と同様に、地山Ｂの水圧を地中管路９ｂへ逃がすことができる。
流入水Ｗａに土砂等の固形物が混じっていたときは、固形物をフィルタ５によって捕捉できるのに加えて、フィルタ５を通過した固形物を防汚メッシュ３８によって捕捉できる。これによって、固形物が地中管路９ｂへ混入されるのを確実に防止できる。
【００４７】
第２実施形態のウィープホール装置１Ｂにおいても、メンテナンスに際し、第２ホルダ部材１２を外すことによって、弁本体３０をホルダ１０から容易に取り外すことができ、ホルダ１０及び管内通路２ｂ内の洗浄やフィルタ５の交換を簡単に行なうことができる。
更に、図９に示すように、逆止弁３Ｂにおいても、弁本体３０を軸線Ｌ３に沿う方向に１８０度反転させて第２の向きにすることで、例えば裏込めや洗浄時の逆流防止手段として使用することができる。なお、第２の向きにおいては、防汚メッシュ３８、スペーサ３７及びワッシャ３９が取り外され、代わりにワッシャ３４が取り付けられているが、第１の向きと同様に防汚メッシュ３８等を取り付けることにしてもよい。
【００４８】
本発明は、前記実施形態に限られず、その趣旨を逸脱しない範囲内で種々の改変をなすことができる。
例えば、土木構造体は、地山Ｂから隔てられた画成空間を画成するものであればよく、地中管９に限られず、擁壁等であってもよい。
弁体３２が、中央部は軸支部３１ｃに定着されるとともに、弁体３２自体の弾性によって周縁部が弁座３１ａから離れるように弾性変形可能、かつ弾性復帰して弁座３１ａに着座可能であってもよい。その場合、弾性部材３３を省略してもよい。
【産業上の利用可能性】
【００４９】
本発明は、例えば、下水道管や農業用水管等における逆止弁付きのウィープホール装置等に適用可能である。
【符号の説明】
【００５０】
Ｂ          地山
Ｌ２         軸線
１，１Ｂ    ウィープホール装置
２          ウィープホール管
２ｂ        管内通路（ウィープホール）
２ｃ        透孔
４ｃ        透孔
５          フィルタ
３，３Ｂ    逆止弁
９          地中管（土木構造体）
９ｂ        地中管路（画成空間）
１０        ホルダ
１０ｄ      弁本体保持部
１１        第１ホルダ部材
１２        第２ホルダ部材
３０        弁本体
３１        弁座部材
３１ｘ      環状部（被保持部）
３１ａ      弁座
３１ｂ      連結腕部
３１ｃ      軸支部
３１ｄ      筒部（環状部）
３１ｆ      フランジ（被保持部）
３２        弁体
３５        連結軸部材
【図１】
2018009312.tif 000003
【図２】
2018009312.tif 000004
【図３】
2018009312.tif 000005
【図４】
2018009312.tif 000006
【図５】
2018009312.tif 000007
【図６】
2018009312.tif 000008
【図７】
2018009312.tif 000009
【図８】
2018009312.tif 000010
【図９】
2018009312.tif 000011